(57)【要約】ユニット（ＬＤ）によって複数ラインアドレシングが実行されるマトリクス表示装置（１）。複数ラインアドレシングの結果として、実際に表示される輝度値（Ｃ）と元の輝度値（Ｄ）との間には差異がある。前記差もしくはエラー（Ｅ）の目に見える効果は、前記差またはその部分を、表示される近隣のピクセルや後続フレームの同じピクセルのいずれかの元の輝度値から引くことによって、最小限に抑えられる。前記近隣のピクセルは好ましくは、考慮されるピクセルのすぐ下か右側のピクセルである。後者は、エラー（Ｅ）にサンプル遅延を適用することによって得られる。
2004508578.tif 000002
【特許請求の範囲】
【請求項１】
ピクセルのラインセット（ｒｌ．．．ｒｉ．．．ｒＭ）を有する表示パネルと、連続するフレームを表わしピクセルの元のライン輝度値（Ｄ、ｄｉｌ．．．ｄｉｊ．．．ｄｉＭ）を含む入力信号（Ｄ）を受け取ることによって元のライン輝度値に基づいてピクセルの新しい輝度値（Ｃ；ｃｉｌ．．．ｃｉｊ．．．ｃｉｍ）を決定するデータ処理ユニットとを備え、データ処理ユニットがライングルーピング手段と、前記ラインに新しいライン輝度値データを供給するドライバ回路とを有し、前記ドライバ回路はｇ本の同じ値を有するラインの群ｉ．．．ｉ＋ｇ−ｌをアドレスするための手段を有し、前記データ処理ユニットがさらに、
プロセッサユニットによって供給される補正値信号（Ｅ’）を元のライン輝度値（Ｄ；ｄｌｌ，．．．ｄｉｊ．．．ｄＭＮ）から引いてライングルーピング回路に差の値（ＤＦ；ｄｆｌｌ，．．．ｄｆｉｊ．．．ｄｆＭＮ）を供給する減算器と、
差の値（ＤＦ；ｄｆｌｌ，．．．ｄｆｉｊ．．．ｄｆＭＮ）と前記ピクセルの新しい輝度値（Ｃ；ｃｉｌ．．．ｃｉｊ．．．ｃｉＭ）とを受け取り、グルーピング隣接ラインｉ，．．．ｉ＋ｇ−ｌのピクセルｊの新しい輝度値（Ｃ；ｃｉｊ，．．．ｃｉ＋ｇ−１，ｊ）と、同じラインのピクセルｊの差の値ｄｉｊ，．．．ｄｉ＋ｇ−１，ｊとの差のセット（ｅｉｊ，．．．ｅｉ＋ｇ−１，ｊ）を有するエラー信号（Ｅ）を供給するエラー決定回路と、
エラー信号（Ｅ）を受け取り、このエラー信号（Ｅ）を補正値信号（Ｅ’）に変換するプロセッサユニットとを備えることを特徴とする、マトリクス表示装置。
【請求項２】
演算で、前記減算器が前記差ｅｉｊ，．．．ｅｉ＋ｇ−１，ｊまたはその部分を、次の列ｊ＋１および同じラインｉ，．．．ｉ＋ｇ−ｌにあるピクセルの元の輝度値ｄｉ，ｊ＋１，．．．ｄｉ＋ｇ−１，ｊ＋１からそれぞれ引くことを特徴とする、請求項１に記載のマトリクス表示装置。
【請求項３】
演算で、前記演算器が、前記差ｅｉｊ，．．．ｅｉ＋ｇ−１，ｊまたはその部分を、同じ列及び／または近隣の列ｊ−２、ｊ−１、ｊ＋１、ｊ＋２．．．および近隣のライン及び／または近隣のラインｉ＋ｇ．．．ｉ＋２ｇ−ｌのピクセルの元の輝度値ｄｉ＋ｇ，ｊ，ｄｉ＋２ｇ−１，ｊからそれぞれ引くことを特徴とする、請求項１に記載のマトリクス表示装置。
【請求項４】
続いてフレームが表示されるものとし、演算で、減算器が前記差ｅｉｊ，．．．ｅｉ＋ｇ−１，ｊまたはその部分を、同じ列ｊおよび後続フレームの同じ列ｉ．．．ｉ＋ｇ−ｌにあるピクセルの元の輝度値ｄｉ，ｊ，ｄｉ＋ｇ−１，ｊからそれぞれ引くことを特徴とする、請求項１に記載のマトリクス表示装置。
【請求項５】
前記輝度値はサブフィールドの中で符号化され、前記サブフィールドは最上位サブフィールドセットと最下位サブフィールドセットとからなり、前記新しい輝度値は最下位サブフィールドの全部または部分として隣接するライン群ｉ，．．．ｉ＋ｇ−ｌについて同じ値を有し、前記ライン群に同時にアドレスされる、請求項１に記載のマトリクス表示装置。
【請求項６】
前記群ｉ．．．ｉ＋ｇ−ｌが対となる、請求項１に記載のマトリクス表示装置。
【請求項７】
ピクセルのラインセット（ｒｌ．．．ｒｉ．．．ｒＭ）を有する表示パネルを含むマトリクス表示装置上に表示される元のライン輝度値（Ｄ，ｄｉｌ．．．ｄｉｊ．．．ｄｉＭ）に基づいてピクセルの新しい輝度値（Ｃ；ｃｉｌ．．．ｃｉｊ．．．ｃｉｍ）を決定する方法であって、前記ラインに新しいライン輝度値データを供給し、ｇ本の同じ値を有するラインの群ｉ．．．ｉ＋ｇ−１をアドレスするデータ処理ステップを含み、前記方法は、
差の値（ＤＦ；ｄｆｌｌ，．．．ｄｆｉｊ．．．ｄｆＭＮ）を供給するために、元のライン輝度値（Ｄ；ｄｌｌ，．．．ｄｉｊ．．．ｄＭＮ）から補正値信号（Ｅ’）を引くことと、
グルーピング隣接ラインｉ，．．．ｉ＋ｇ−１ピクセルの新しい輝度値（Ｃ；ｃｉｊ，．．．ｃｉ＋ｇ−１，ｊ）と、同じラインのピクセルｊの差の値ｄｉｊ，．．．ｄｉ＋ｇ−１，ｊとの差のセット（ｅｉｊ，．．．ｅｉ＋ｇ−１，ｊ）からなるエラー信号（Ｅ）を供給するためのエラー決定することと、
エラー信号（Ｅ）を補正値信号（Ｅ’）に変換するための処理を行うこととを含むことを特徴とする方法。
【請求項８】
前記差ｅｉｊ，ｅｉ＋ｇ−１，ｊまたはその部分が、次の列ｊ＋１および同じラインｉ，．．．ｉ＋ｇ−ｌにあるピクセルの元の輝度値ｄｉ，ｊ＋１，．．．ｄｉ＋ｇ−１，ｊ＋１からそれぞれ引かれる、請求項７に記載の方法。
【請求項９】
前記差ｅｉｊ，．．．ｅｉ＋ｇ−１，ｊまたはその部分が、同じ列ｊおよびラインｉ＋ｇ．．．ｉ＋２ｇ−ｌにあるピクセルの元の輝度値ｄｉ＋ｇ，ｊ，ｄｉ＋２ｇ−１，ｊからそれぞれ引かれる、請求項７に記載の方法。
【請求項１０】
前記差ｅｉｊ，．．．ｅｉ＋ｇ−１，ｊまたはその部分が、同じ列ｊおよび後続フレームの同じラインｉ．．．ｉ＋ｇ−ｌにあるピクセルの元の輝度値ｄｉ，ｊ，ｄｉ＋ｇ−１，ｊから引かれる、請求項７に記載の方法。
【請求項１１】
前記輝度値はサブフィールドの中で符号化され、前記サブフィールドは最上位サブフィールドセットと最下位サブフィールドセットとからなり、前記新しい輝度値は、最下位サブフィールドの全部または部分として隣接するライン群ｉ，．．．ｉ＋ｇ−ｌについて同じ値を有する、請求項７に記載の方法。
【請求項１２】
前記群ｉ．．．ｉ＋ｇ−ｌが対となる、請求項７に記載の方法。
【発明の詳細な説明】
【０００１】
（発明の分野）
本発明は、ラインのグループについて共通の値が決定され、このラインセットのグループに向けて同時にアドレスされる、輝度値を表示するためのマトリクス表示装置に関する。これは例えば、輝度値がサブフィールドの中で符号化され、最下位サブフィールドのいくつかが共通の値によって取って代わられときに遂行される。
【０００２】
本発明はまた、マトリクス表示装置上に表示される元の輝度値に基づいて新しい輝度値を決定する方法に関する。
【０００３】
本発明は例えば、パーソナルコンピュータ、テレビ受像機、その他に利用される、プラズマディスプレイパネル（ＰＤＰ）、プラズマアドレスド液晶パネル（ＰＡＬＣ）、液晶ディスプレイ（ＬＣＤ）、ポリマーＬＥＤ（ＰＬＥＤ）、エレクトロルミネセント（ＥＬ）、デジタルマイクロミラーデバイス（ＤＭＤ）に適用できる。
【０００４】
（発明の背景）
マトリクス表示装置は、通常は行方向と呼ばれる、第一方向に伸びる第一のデータライン（行）セットｒ１．．．ｒＭと、通常は列方向と呼ばれる第二方向に伸びて第一データラインセットと交差する第二のデータライン（列）セットｃ１．．．ｃＮとからなり、各々の交差点によってピクセル（ドット）が決まる。
【０００５】
マトリクス表示装置はさらに、表示されるラインの輝度値についての情報を含む情報信号を受け取るための手段と、その情報信号により第一データライン（行）セットｒ１．．．ｒＮをアドレスするための手段とからなる。輝度値はこれより、モノクロディスプレイの場合にはグレーレベルとして理解され、カラー（例えばＲＧＢ）ディスプレイでは個々のレベルの各々として理解される。
【０００６】
このような表示装置は、第一データライン（行）セットを１行ずつアドレスし、各ライン（行）が、表示される適切なデータを連続的に受け取ることによってフレームを表示し得る。
【０００７】
フレームの表示にかかる時間を減らすためには、複数ラインアドレッシング法を適用し得る。この方法では、一本より多くの、通常なら二本の、近隣の、好ましくは隣接する、第一データライン（行）セットのラインが同時にアドレスされ、同じデータを受け取る。
【０００８】
この所謂二重ラインアドレッシング法（二本のラインが同時にアドレスされるとき）では、各フレームに要するデータが減るので、実際、フレーム表示の高速化は可能だが、ただしこれは、各ライン対が同じデータを受け取るため、解像度の損失やラインの重複による鮮鋭度の損失が起きるので、元の信号の点では画質の損失という犠牲をともなう。
【０００９】
これらの既知の方法は、アドレッシング時間の減少を可能にする。しかし、表示されるべき元の輝度値と実際に表示される新しい輝度値との間には、差異が生じ得るし、場合によっては大きな差異が生じ得る。ラインの二重化もしくはグルーピングによって引き起こされる、これより「エラー」と呼ぶ、この差異は、空間解像度の損失を引き起こし、量子化に匹敵する、目に見えるノイズに似た産物を増やす。
【００１０】
上述のマトリクス表示パネルタイプでは、ＣＲＴディスプレイのように、光線の生成を強度で変調できず、異なるグレースケールレベルを作ることはできない。上述のマトリクス表示パネルタイプでは、時間で変調することによってグレーレベルが作られる。強度が高くなると、光線放射期間の持続は増す。輝度データはサブフィールドセットの中で符号化され、各サブフィールドは、ゼロと最大レベルとの間で一定範囲の光線強度を表示するための適切な期間またはウエイトを有する。サブフィールドの相対ウエイトは、バイナリ（すなわち１、２、４、８，．．．）である場合とそうでない場合とがある。このサブフィールド分解は、ここではグレースケールについて説明するが、以下においては、カラーディスプレイの個々の色にも当てはまる。ラインの二重化またはグルーピングは特に、サブフィールドを使用する表示パネルで、アドレッシング時間を減らす上で有用である。
【００１１】
解像度の損失を減らすには、部分ライン二重化、すなわち下位サブフィールド（以下ＬＳＢサブフィールドと称す）のためだけのライン二重化を実行できる。実際、ＬＳＢサブフィールドは重要度に劣る光線量に相当し、部分ライン二重化なら、目に見える解像度損失は減る。
【００１２】
いくつかの下位サブフィールドについて二本より多くのラインが同時にアドレスされるときには、部分ライングルーピングが実行される。部分ライン二重化に関する考察は、以下においては、必要な変更を加えて、二本より多くのラインの部分ライングルーピングにも当てはまる。
【００１３】
部分ライン二重化法の実行にあたっては、妥協を求めなければならない。ごく少数のＬＳＢサブフィールドだけが二重化されるなら、時間の利得はわずかである。二重化されるサブフィールドが多すぎると、画質の損失が容認できないものになる。
【００１４】
画質に影響を与えるもうひとつの側面は、二重化サブフィールドの新しいデータを計算する方法である。使用する計算方法が異なれば結果は異なる。観察者の目から見て最良の画質をもたらす計算方法を使用するべきである。
【００１５】
部分ライン二重化でＬＳＢが二重化される際、二本の、近隣または隣接のラインのＬＳＢデータの値は同じにならなければならない。これらのデータの計算には以下の方法を使用し得る。
【００１６】
１．　奇数ラインのＬＳＢデータは、隣接の偶数ラインで使用される（単純なビットのコピー）。
【００１７】
２．　偶数ラインのＬＳＢデータは、近隣または隣接の奇数ラインで使用される（単純なビットのコピー）。
【００１８】
３．　各ピクセル対の平均ＬＳＢデータは、両方の新しいＬＳＢ値に使用される。
【００１９】
（発明の概要）
本発明の目的は、解像度の損失及び／又はノイズのような産物が見えるのを減らし、好ましくは最小限に抑える、ライン二重化又はグルーピングを含むマトリクス表示装置と、マトリクス表示装置上で表示される新しいデータを計算する方法とを提供することである。
【００２０】
このため、本発明の第一の側面は、ライン二重化又はグルーピングによって引き起こされるエラーを、現行フレームの中で表示される近隣ピクセル及び／又は後続フレームの近隣ピクセルのいずれかに向けて拡散する、請求項１に記載のマトリクス表示装置を提供する。これにより、ライン二重化又はグルーピングによって引き起こされる可視エラーは減る。従属請求項２ないし４は、右側のピクセル対または群、考慮されたピクセルのすぐ下のピクセル対または群、および後続フレームの中の同じピクセル対または群に向けてそれぞれエラーを拡散する、具体的なエラー拡散を提供する。右側のピクセル対又は群へのエラー拡散は、エラーを最寄のピクセルに拡散する。
【００２１】
ハードウェアの中で実装される場合に、少数の構成部品を要する簡素な実施の形態は、従属請求項２ないし４の主題である。
【００２２】
従属請求項２は、同一ライン上の一個または複数個の近隣ピクセルへのエラー拡散に関する。
【００２３】
従属請求項３は、一対または複数対の後続ラインにおける一個または複数個の近隣ピクセルへのエラー拡散に関する。
【００２４】
従属請求項４は、同一または近隣ピクセルへのエラーの時間的拡散に関する。
【００２５】
請求項５は、輝度値がサブフィールドの中で符号化される事例に関する。
【００２６】
本発明の第二の側面は、請求項７において限定された方法を提供する。従属方法請求項８ないし１２はそれぞれ、装置請求項２ないし７に対応する。
【００２７】
本発明のこれらの側面ならびにその他の側面は、付属の図面への言及を含む以下に述べる実施の形態への言及から明白であり、かつまた前記言及でもって解明されるだろう。
【００２８】
（好ましい実施の形態の詳細な説明）
図１は、マトリクス表示パネル５を含むマトリクス表示装置１の略図であり、ディスプレイラインセット（通常なら行方向を向き、その場合には行と呼ばれる）ｒ１，ｒ２，．．．ｒｉ，ｒｉ＋１，．．．ｒＭを示している。マトリクス表示パネル５はさらに、通常なら列方向である第二方向に伸びて第一データラインセットと交差するデータラインセット（列、図示されていない）を含み、各々の交差点によってピクセル（ドット、図示されていない）が決まる。
【００２９】
マトリクスディスプレイはさらに、表示されるラインの輝度についての情報を含む情報信号Ｄを受け取るための回路２と、情報信号Ｄに依存してデータラインセット（行ｒ１，．．．ｒＭ）をアドレスするためのドライバ回路４とを備え、信号は元のピクセル輝度値ｄｌｌ，．．．ｄｉｊ．．．ｄＭＮを含む。
【００３０】
本発明による表示装置１は、元のピクセル輝度値ｄｌｌ，．．．ｄｉｊ．．．ｄＭＮをもとに、ライン二重化又はグルーピング法を用いて、ピクセルの新しいピクセル輝度値ｃｌｌ，．．．ｃｉｊ．．．ｃＭＮを決定するための、図１においてＣとして示される、ユニット３を含む。
【００３１】
図２ないし図５に示すユニット３の詳細図は、「ＬＤ」ブロック、すなわち各種方法の一つに従ってライン二重化又はグルーピングアルゴリズムを実行するライングルーピング回路を示しており、そこでは隣接または近隣ライン群の新しい共通値が決定される。サブフィールドが使われるディスプレイでは、いくつかの最下位サブフィールドに限ってこれを実行してよい。
【００３２】
ユニット３は、元のライン輝度値ｄｌｌ，．．．ｄｉｊ．．．ｄＭＮからプロセッサユニットｌｌによって供給される補正値信号Ｅ’を引いてライングルーピング回路ＬＤに差の値ＤＦ（ｄｆｌｌ，．．．ｄｆｉｊ．．．ｄｆＭＮ）を供給する減算器１０を含む。ライングルーピング手段は、ハードウェア（例えば図３に示す回路または、ライングルーピング回路を形成する回路の配置など）またはソフトウェア（例えばコンピュータプログラムまたはマイクロプロセッサの中のコンピュータプログラムの部分などで、前記マイクロプロセッサは、この機能のために特別に組み込まれるものでよく、またはライン二重化機能を実行する一部のソフトウェアを形成する、より多くの機能を実行する多目的マイクロプロセッサでよい）によって構成されてよく、またはこのハードウェアまたはこのソフトウェアを構成してもよい。信号Ｅがゼロの場合、元のライン輝度値と差の値はもちろん、一つであり同じである。エラー決定ユニット１２は、差ライン輝度値ＤＦと新しいライン輝度値Ｃとの間でエラーを決定する。このエラー信号Ｅは、プロセッサユニットｌｌで補正値信号Ｅ’に変換される。
【００３３】
本発明によると、以下の演算ＡないしＣはユニット３によって実行される。
【００３４】
Ａ：　ライン二重化計算ピクセル輝度値ｃｉｊ，ｃｉ＋１，ｊと、ピクセルｉｊおよびｉ＋１，ｊの差ピクセル輝度値ｄｆｉｊ，ｄｆｉ＋１，ｊとの間の差ｅｉｊおよびｅｉ＋１，ｊは、次のとおりに計算する。
【数１】
2004508578.tif 000003
【００３５】
図２ないし図５では、上記方法ステップが、エラー決定ユニット１２と、そのユニット１２を出入りする信号とによって描かれている。これらの差は、元の輝度ｄｆｉｊに関して事実上示される輝度Ｃｉｊの過剰の度合い、すなわちライン二重化によって導入されるエラーの度合いである。差のセットはエラー信号Ｅを構成する。このエラー信号は、図２ないし図５においてＥとして示されている。式ではこれをＥ＝Ｃ−ＤＦと表示できる。
【００３６】
Ｂ：　エラーＥ、またはその部分は、近隣のピクセルから引かれる、及び／または、後続フレームの同じピクセルに向けて拡散される。このため、エラー信号Ｅは、プロセッサユニット１１において補正値信号Ｅ’に変換され、実際は補正値信号Ｅ’は補正値のセットである。
【００３７】
式ではＥ’＝ｃｏｎｖｅｒｓｉｏｎ　ｏｆ　Ｅ。
【００３８】
Ｃ：　最後に、減算器１０においてＤからＥ’を引いてＤＦを求める。式ではＤＦ＝Ｄ−Ｅ’
エラーを拡散する方法は、下に記すＡＡないしＤＤである。
【００３９】
ＡＡ：　図２に示す水平フィードバック（サンプル遅延）。エラーＥまたはその部分を、同じライン対上、次の列ｊ＋１上、一ステップさらに右にあるピクセルの元の輝度値ｄｉ，ｊ＋１、ｄｉ＋１，ｊ＋１から引く。
【数２】
2004508578.tif 000004
【００４０】
この例で、補正値信号Ｅ’は、ｄｉ，ｊ＋１；ｄｉ＋１，ｊ＋１等から引かれる信号セットＦｈ＊ｅｉ，ｊ；Ｆ’ｈ＊ｅｉ＋１，ｊ等によって構成される。係数Ｆ、Ｆ’は、近隣ピクセルへのエラーの移転または拡散を決定する。
【００４１】
図２は、水平フィードバックを実行するためのユニット３を示している。これは、ハードウェア内に実装する場合に少数の構成部品を要する、本発明の簡素な実施の形態である。最も近くのピクセルにエラーが拡散されるとき、ライン二重化の視覚的影響はかなり減る。
【００４２】
エラーは好ましくは、次に近い近隣ピクセルからエラーの一部を、次に近い近隣ピクセルからより小さい部分を引くことによって、さらに拡散される。
【数３】
2004508578.tif 000005
【００４３】
係数Ｆ、Ｆ’、Ｆ’’、Ｆ’’’は、近隣のピクセルと次に近隣のピクセルの上でのエラーの拡散量を決定する。
【００４４】
ＢＢ：　図３に示す垂直フィードバック（２ライン遅延）。エラーまたはその部分を、ライン対上、２ステップ下、および同じ列ｊ上にあるピクセルの元のピクセル輝度値ｄｉ＋３，ｊ，ｄｉ＋４，ｊから引く。
【数４】
2004508578.tif 000006
【００４５】
図３は、垂直フィードバックを実行するためのユニット３を示している。この本発明の簡素な実施の形態も少数のハードウェアを要する。エラーが導入されるところのピクセルと、エラーが拡散されるところのピクセルとの間の距離はやや大きい。エラーは好ましくは、次に近い近隣ライン対からエラーの一部を、次に近い近隣ピクセルからさらに小さい部分を引くことによって、さらに拡散される。
【数５】
2004508578.tif 000007
【００４６】
ＣＣ：　図４に示す二次元フィードバック（１サンプル遅延と２ライン遅延）。同じライン対上、一ステップ右にあるピクセルの元のピクセル輝度値からエラーの部分を引き、さらにライン対上、二ステップ下、および同じ列上にあるピクセルの元のピクセル輝度値からエラーの部分を引く。
【数６】
2004508578.tif 000008
【００４７】
図４は、二次元フィードバックを実行するためのユニット３を示している。水平フィードバックと垂直フィードバックとを組み合わせることによって、より良い結果を達成できる。
【００４８】
今回も、次に近い近隣のピクセルまたはライン対からエラーの一部の拡散を、そして次に近い近隣のピクセルまたはライン対からさらに小さい部分を、引いてよい。
【００４９】
ＤＤ：　図５に示す時間的フィードバック（１フレーム遅延）。時間ｔに表示されるフレームのエラーｅｉｊ（ｔ）およびｅｉ＋１，ｊ（ｔ）またはその部分を、時間ｔ＋１に表示される後続フレームの同じピクセルの元のピクセル輝度値ｄｉ，ｊ（ｔ＋１）、ｄｉ，ｊ（ｔ＋１）から引く。
【００５０】
図５は、時間的フィードバックを実行するためのユニット３を示している。水平、垂直および時間的フィードバックを組み合わせることによって最良の結果を得ることができる。
【００５１】
上記の実施の形態はライン二重化に関するが、当業者なら、三本以上のラインのグルーピングへの応用を容易に理解できよう。
【００５２】
上で、記号：＝は、記号の左にある要素が右側の値によって取って代わられることを意味する。図２ないし図５で、「／」と信号ラインの近くの数字２は、それらがダブルラインであることを指示する。
【００５３】
下文において「フィードバック係数」とも記すパラメータＦｈ、Ｆｖ、Ｆ’ｈ、Ｆ’ｖ等には、経験によって好都合と判断される値を与えてよい。水平フィードバックや垂直フィードバックの場合には、これらのパラメータに値１を与えると有利であり、Ｆｈ＋Ｆｖ＝１，Ｆ’ｈ，＋Ｆ’ｖ＝１となるような値、すなわち特定のエラー値ｅｉ，ｊですべてのフィードバック係数Ｆの和は１である。これは二次元フィードバックの場合に、画像の総輝度を一定に保つ。これらのフィードバック係数または１未満のこれらのフィードバック係数値の和を与えることによって、エラーの部分だけが拡散される。
【００５４】
下の表は、種々の実施の形態で、フィードバック係数Ｆｈ、Ｆ’ｈ，．．．およびＦｖ、Ｆ’ｖ，．．．の例の値を図示する。
【００５５】
単純な水平フィードバック、図２参照
【表１】
2004508578.tif 000009
【００５６】
この例では次の式が成立する。
【数７】
2004508578.tif 000010
【００５７】
これは、最も単純な形での、従属請求項２の主題の例、すなわち減算器（１０）が、演算において、差ｅｉｊ，．．．ｅｉ＋ｇ−ｌ，ｊまたはその部分を、次の列ｊ＋１および同じラインｉ，．．．ｉ＋ｇ−１にあるピクセルの元の輝度値ｄｉ，ｊ＋１，．．．ｄｉ＋ｇ−ｌ，ｊ＋１から引く実施の形態である。
【００５８】
複数のピクセルにわたる水平フィードバック
【表２】
2004508578.tif 000011
【００５９】
この例では次の式が成立する。
【数８】
2004508578.tif 000012
【００６０】
これは、より一般的な形での、請求項２に記載の実施の形態の例であり、つまり減算器（１０）は、演算において、差ｅｉｊ，．．．ｅｉ＋ｇ−１，ｊまたはその部分を、次の列ｊ＋１または後続の列ｊ＋２，ｊ＋３、（この実施の形態のユニットではｊ＋３）．．．および同じラインｉ，．．．ｉ＋ｇ−ｌにあるピクセルの元の輝度値ｄｉ，ｊ＋１，．．．ｄｉ＋ｇ−１，ｊ＋１から引く。
【００６１】
係数０．６、０．３、０．１の代わりに、実際には、係数のセット９／１６、５／１６、１／８もまた良好な結果を出すようであった。
【００６２】
一対のラインにわたる垂直フィードバック、図３参照。
【表３】
2004508578.tif 000013
【００６３】
この例では次の式が成立する。
【数９】
2004508578.tif 000014
【００６４】
これは、最も単純な形での、従属請求項３の主題の例、すなわち減算器が、演算において、上記差ｅｉｊ，．．．ｅｉ＋ｇ−１，ｊまたはその部分を、同じ列．．．および最も近い近隣ラインｉ＋ｇ．．．ｉ＋２ｇ−ｌにあるピクセルの元の輝度値ｄｉ＋ｇ，ｊ，ｄｉ＋２ｇ−１，ｊからそれぞれ引く実施の形態である。
【００６５】
複数のライン対にわたる垂直フィードバック
【表４】
2004508578.tif 000015
一ピクセルにわたり、かつまた一対のラインにわたる単純な二次元フィードバック、図４参照。
【００６６】
【表５】
2004508578.tif 000016
【００６７】
この例では次の式が成立する。
【数１０】
2004508578.tif 000017
【００６８】
エラーの７５％は水平方向で次のピクセルにフィードバックされ、２５％は次のライン対の中のピクセルにフィードバックされる。
【００６９】
複数のピクセルと複数のライン対とにわたる二次元フィードバック
【表６】
2004508578.tif 000018
【００７０】
この例で、エラーの部分は、最も近いライン対で前の（つまり、左側の問題のピクセルに最も近い）ピクセルにまで拡散される。この特定のピクセルは、問題のピクセルの後に表示される。好ましい実施の形態で、エラーはまた、最も近いライン対上で「前の」（つまり、ラインが書き込まれる方向で見て）ピクセルにまで拡散される。係数０．４５、０．１０、０．２０、０．０５の代わりに、特定の応用では、係数５／１６、１、８、１／４、１／１６もまた良好な結果を出すようであった。
【００７１】
一般的には、（空間または時間での）距離が増すにつれてフィードバック係数ＦｈおよびＦｖ（または時間的フィードバック係数）が減少すると有利である。上の表のすべてにおいて、特定エラーの全フィードバック係数の合計は１（ｏｎｅ）であり、それは好ましい実施の形態である。ただし、係数の総和は１からそれることがあり、なおかつ１より小さくなることがあり、その場合はエラーの一部だけが拡散される。
【００７２】
時間的フィードバックは複数のフレームにわたって達成でき、例えば７５％は次のフレームに拡散され、残りの２５％はその次に近いフレームに拡散される。
【００７３】
時間的フィードバックと空間的フィードバックとの組み合わせも利用し得る。時間的フィードバックと空間的フィードバックとの組み合わせを使用する場合、エラーは、問題のピクセルのすぐ右および下のピクセルだけでなく、問題のピクセルの左および上のピクセルの内の一つまたは両方にも拡散し得、好ましくは拡散する。
【００７４】
実施の形態で、フィードバック係数はエラーの大きさに依存する可能性があり、比較的小さいエラーは最も近いピクセル及び／または最も近いライン対に拡散され（あるいはまったく拡散されず）、比較的大きなエラーは大きな面積にわたって拡散される。好ましくは、エラー拡散係数はＹ＊（１／２ｎ）であり、例えば３／４および１／４、または１／８または１／１６等の倍数であり、係数の総和は好ましくは１である。拡散係数のしきい値を選んでよく、そのしきい値より下ではエラーはもはや拡散されない。
【００７５】
本発明は好ましい実施の形態との関係で述べてきたが、上で略述した原理の中でのその変更は当業者にとって明白であろうこと、それゆえ本発明が好ましい実施の形態に限定されず、前記変更を含むものであることは理解されよう。より具体的に、好ましい実施の形態はライン二重化に関するが、本発明は、二本よりも多いラインが一緒にまとめられる場合にも適用できる。好ましい実施の形態はまた、右側、または下の最寄のピクセル群、または後続フレームの中の同じピクセルへのエラーの拡散に関する。本発明の枠組の中では、次に近いピクセルまたはその向こう、または後続フレームへのさらなるエラーの拡散を実行し得る。ラインと列との交換は可能である。本発明は、サブフィールドモードが適用される表示装置に適用できる。本発明は、数個の別個の要素からなるハードウェアによって実装でき、なおかつ適当なプログラムされたコンピュータによって実装できる。
【００７６】
請求項の中で、括弧間に置かれた参照記号は、請求項を制限するものとして解釈してはならない。「ｃｏｍｐｒｉｓｉｎｇ」という語は、請求項の中に記載された以外の要素やステップの存在を排除しない。要素の前にある「ａ」または「ａｎ」という語は、複数の前記要素の存在を排除しない。数個の手段を列挙する発明の請求項で、それらの手段の数個は、同一のハードウェア品目によって実施できる。
【００７７】
互いに異なる従属請求項の中である種の方策（ｍｅａｓｕｒｅ）が列挙されるという単なる事実は、それらの方策の組み合わせを有利に利用できないことを指摘するのではない。
【図面の簡単な説明】
【図１】
本発明によるマトリクス表示装置を図示する。
【図２】
本発明の第一の実施の形態による、本発明のユニット（３）の詳細図である。
【図３】
本発明の第二の実施の形態による、本発明のユニット（３）の詳細図である。
【図４】
本発明の第一および第二の実施の形態の特徴を兼ね備える、本発明のユニット（３）の詳細図である。
【図５】
本発明の第三の実施の形態による、本発明のユニット（３）の詳細図である。
【符号の説明】
１　マトリクス表示装置
２　回路
３　ユニット
４　ドライバ回路
５　マトリクス表示パネル
１０　減算器
１１　プロセッサユニット
１２　エラー決定ユニット
【図２】
2004508578.tif 000019
【図３】
2004508578.tif 000020
【図４】
2004508578.tif 000021
【図５】
2004508578.tif 000022
【国際公開パンフレット】
2004508578.tif 000023
2004508578.tif 000024
2004508578.tif 000025
2004508578.tif 000026
2004508578.tif 000027
2004508578.tif 000028
2004508578.tif 000029
2004508578.tif 000030
2004508578.tif 000031
2004508578.tif 000032
2004508578.tif 000033
2004508578.tif 000034
2004508578.tif 000035
2004508578.tif 000036
2004508578.tif 000037
2004508578.tif 000038
2004508578.tif 000039
2004508578.tif 000040
2004508578.tif 000041
2004508578.tif 000042
【国際調査報告】
2004508578.tif 000043
2004508578.tif 000044